(57)【要約】【課題】多人数で又、多様な遊び方が楽しめ、更にゲームの難易度の調節までもが、簡単に出来る球技盤を提供する。【解決手段】多面箱体（１）の中に、傾斜のある傾斜面部（２）と平坦な水平面部（３）を併せ持つ、球の転がるフィールドを形成して球技盤とする。フィールド及びその外周縁部に、適宜ゴール穴（４）を設ける。【選択図】図１
2011193979.tif 000002
【特許請求の範囲】
【請求項１】
多面箱体（１）の中に、傾斜のある傾斜面部（２）と平坦な水平面部（３）を併せ持つフィールドを形成して成る球技盤。
【発明の詳細な説明】
【技術分野】
【０００１】
この発明は、球の転がる場所や使用する球を取換えて又は、取換えずとも、二種類以上のゲームをすることができる球技盤に関するものである。
【背景技術】
【０００２】
これまで球技盤は、野球盤やサッカー盤のように、単一のゲームをさせるものであり又操作する箇所が多くあった。
【先行技術文献】
【特許文献】
【０００３】
特開２００６−１５８９３２号公報
【発明の概要】
【発明が解決しようとする課題】
【０００４】
これには、次のような欠点があった。
単一の球技しかできず又、同じ操作をするのみで、ゲームの難易度を調節することはできなかった。部品の数も多く、コスト高を招いている。更に、球が目標を離れて端などに行ってしまうと、シュートなど肝心のゴールを巡る直接的な攻防とはならず、盛上がりに欠ける時間が生じて、感興が殺がれることがあった。
本発明は、この欠点を解消するためになされたものである。
【課題を解決するための手段】
【０００５】
多面箱体（１）の中に、傾斜のある傾斜面部（２）と水平面部（３）を併せもつフィールドを形成させて、球技盤とする。球の転がるフィールドに、又時にはフィールドの外周縁部に、球の形状や寸法に応じて、複数のゴール穴（４）を設ける。多面箱体（１）とフィールドをそれぞれ別箇に作っておけば、フィールドの傾斜角度の異なるものを作ることは容易であり、交換もし易い。
本発明は、以上の構成より成る球技盤である。
【発明の効果】
【０００６】
フィールドには、何も遮るものがないから、どのような球でも支障なく使える。球の形状により転がり方は違うから、この違いを利用すれば、ゲームの難易度の調節ができたり別種の球技がプレイ可能ともなる。例えば、真円球を使ってサッカー風、楕円球を使ってラグビー風又はスマートボール風（この場合は、二面経由の迂回投げをさせる）のように。単純な転がり方の球を使えばゴールし易く複雑な動きの球を使えばゴールは難しくなる。利き手でない手を使って投げさせることも出来るので、そうさせてゲームの単純化を防ぐことも出来る。難易度の調節が簡単にできる。球だけでなく、フィールドの交換によっても、難易度は調整できる。即ち、傾斜面部（２）の傾斜度が急なものはゴールインが難しく、緩やかなものはゴールインし易くなる。又、傾斜があるので、使用球による差は水平的な場合よりも出易く、ゲームの面白味が大となる。又、フィールドの大部分は傾斜しているから、球が目標を外れても水平面部（３）にすぐ落ち、集まり、次のシュートを速やかに打てる。ゲームが間延びしない。その他、機構的な要素が全くないので、同時の参加人数が多くとれ、故障するところなく長期に使える。
【図面の簡単な説明】
【０００７】
球技盤の本体となる多面箱体（１）の中に、傾斜のある傾斜面部（２）と平坦な水平面部（３）を併せ持つ、球の転がるフィールドを形成する。この時、多面箱体（１）の側面の上端が傾斜面部（２）の上端をこえているものとする。傾斜面部（２）やその外周縁部及び時には水平面部（３）に、所定の大きさの複数のゴール穴（４）を設ける。
以下は、本発明の多面箱体（１）の中に、傾斜面部（２）と水平面部（３）とで形成さるフィールドを収容した実施例と、フィールドのみの実施例をそれぞれ図面化したものである。
【図１】本発明の斜視図である。
【図２】本発明の斜視図である・
【図３】本発明の斜視図である。
【図４】本発明のフィールド部分の斜視図である。
【図５】本発明のフィールド部分の斜視図である。
【図６】本発明のフィールド部分の斜視図である。
【図７】本発明のフィールド部分の斜視図である。
【図８】本発明のフィールド部分の斜視図である。
【図９】本発明のフィールド部分の斜視図である。
【図１０】本発明のフィールド部分の斜視図である。
【発明を実施するための形態】
【０００８】
本発明は以上のような構造であり、当然のことながら、別に球を使って遊ぶのである。
球は、筒で吹いて動かしても、何も使わず呼気によってもよい。玩具の巻き鳥を使って押し動かせてもよく、プレイする人間により変えることが出来る。
実施例（１）により詳細を説明する。実施例（１）は図（１）に示した。
球を、ゲーム開始時には、水平面部（３）に置く。攻め手がこれを、定められたルールに従い、指、筒、呼気などを使って、傾斜面部（２）の上方にあるゴール穴（４）を目指し、入れる。入れば攻め手の得点となる。勿論、守り手は定められたルールに従い、球のゴールインを妨害、阻止するのである。フィールドの大部分は傾斜面であるから、ゴールを外れた球が多面箱体（１）の上端で跳ね返されて、すぐに中央の水平面部（３）に集まってくる。攻め手は速やかに攻撃を再開させて、激しい攻防が展開される。
【０００９】
付加すべきは、２人以上の複数の人間でプレイできることである。多面箱体（１）も傾斜面部（２）も各４面あるので、１面１名、４面で４名がゲームに当然に参加出来る。然し、ゲーム開始時にはそうであっても、途中から選手交代してプレイするならば、多人数で楽しめる。例えば、球を５回吹けば交代とか、ゴールインで得点したら交代とか種々考えられる。この場合、個人プレイにはなるが同時にチームプレイの一部にもなっており、個の上達がチーム即ち全体の勝ちに結び付くので各個人の上達意欲に刺激が与えられ、活気が生じる。２人対２人のチームプレイ、１（大人）対３（子供）のハンディキャップ付チームプレイ或いは４人がそれぞれ独立に競う個人ゲームなども可能である。使用する球も、１乃至４が基本であるが、遊び方により増減できる。チーム対抗なら１箇、個人別なら４個で成立つが、例えばチームプレイに於いて、使用球は３、この中２を先にゴールさせた側を勝ちとするように。又、一定の時間内に何球ゴールイン成るかを競うことも可能であり、これなら、１０人でも２０人でも、ゲームに参加できる。使う球数も１球から何球まででもよい。又、銘銘が個人的に練習感覚で楽しむことも可。尚、スペースが許せば、１面１名ではなく、例えば１面２名、２面で３名などでも差支えはなく、プレイ人数の自由さがある。
【００１０】
スマートボール風の遊びのため、水平面部（３）にゴール穴（４）を設けた。利き手でない手を使い、更に傾斜の何れかの２面を通過してから水平面部（３）のゴール穴（４）を目指すという、球の投げ方がゲームを面白くさせる。球も楕円球が適している。そして、球が傾斜面部（２）のゴール穴（４）に入ってしまったら、これはアウト、失格とすればよい。
【００１１】
次に、実施例（２）として図（２）により説明する。
本例では、傾斜面（２）は６面で上端が４面、外にせり出した外周縁部は水平でゴール穴（４）が設けてある。球の動かし方やプレイの仕方は実施例（１）と大差はないが、ゴール穴（４）が水平な４箇所にあるので、攻め方特に得点の仕方に複雑な変化を付けることが出来、面白さが倍加した。
球と穴（４）の寸法をほぼ等しくして、通常はゴールインが球を落下させるところを中へ落とさず、球がゴール穴（４）に嵌って半分以上が上に出ている状態を保つようにする。この状態もゴールとして扱い、ゴールの可視化を図った。ゴールイン＝成功が目に見えているので、プレイヤに張合いがあり又、得点の数え違いも生じない。
【００１２】
傾斜面ではなく水平な面にゴール穴（４）が設けてあるので、穴に入りかけた球が下へ落ちることはない。１対１の対戦でも、１対複数又、複数対複数でもプレイ出来るがゴール穴（４）すべてを自球（個人でもチームでも４球宛とする）で、言わば蓋をしてしまえば得点は２００点（１ヶ所２５点であるが４ヶ所すべてはプレミアムとして倍の点数を認める）１ヶ所なら２５点、２カ所は５０点、３ヶ所は７５点とする。１球だけ投入しても４球共同時に投入してもプレイは出来るので、前半は１球、後半は４球のように変化をつけてもよい。
球と穴の寸法差を大きくすることも当然に出来るから、ゴール穴（４）より小さな球を使って、実施例（１）に述べたような遊びも可能である。
【００１３】
実施例（３）の説明に移るが、使用図は（図３）である。
この例の傾斜面は球面体であり、実施例（２）同様、水平な面にゴール穴（４）を設けた。フィールド部分の摺り鉢状の形状と多面箱体（１）の８角形状が相俟って、４名以上の複数人数のゲーム参加を可能としている。
尚、上記３実施例は何れもフィールド交換が可能であり又、ゴールインした球が多面箱体（１）の中に落下する際、収納する小箱があれば便利である。
【００１４】
実施例（４）は、（図４、図５、図６、図７、図８、図９、図１０）である。
これらは、すべて、本発明球技盤のフィールド部分の斜視図であり、多面箱体（１）とは別箇に製作できるので、傾斜の角度を又、傾斜面部の形状をいろいろに変え、更にゴール穴（４）の設定場所も図示の如く、斜面（図４、図８、図９）の場合も、水平面（図４、図５、図６、図７）の場合もある。（図１０）のみは傾斜が付いていないが、フィールド交換用としての役割（例えばスマートボール風のゲームに使うというが如き）を果たす効用もあるので付加えた。
最後に、この構造は、フィールドの交換は手間がかかるが、規模の大きな模擬球技場や本格的球技場としても適用され、利用し得ることを付言する。
【符号の説明】
【００１５】
１．多面箱体
２．傾斜面部
３．水平面部
４．ゴール穴
【図１】
2011193979.tif 000003
【図２】
2011193979.tif 000004
【図３】
2011193979.tif 000005
【図４】
2011193979.tif 000006
【図５】
2011193979.tif 000007
【図６】
2011193979.tif 000008
【図７】
2011193979.tif 000009
【図８】
2011193979.tif 000010
【図９】
2011193979.tif 000011
【図１０】
2011193979.tif 000012